(57)【特許請求の範囲】
【請求項１】
石灰質や珪酸等からなる各種ネクトン、プランクトン、藻類、海藻等が埋没して堆積し、腐植溶性を帯びた結晶体となった貝化石を１５０°Ｃ〜３００°Ｃの範囲内で加熱処理して結晶水を除去し賦活化させて熱処理貝化石とし、かつ該熱処理貝化石が粒径５μｍ以下のものが少なくとも８０重量％以上含有している超微粉末貝化石からなることを特徴とする魚類の産卵誘発剤。
【発明の詳細な説明】
【０００１】
【発明の属する技術分野】
本発明は、超微粉末貝化石に関し、詳しくは、天然の貝化石を熱処理し超微粉末にすることにより特異な性質を有するものになり、その特異な性質を専ら利用する超微粉末貝化石に関する。
【０００２】
【従来の技術】
天然の貝化石を荒い砂状程度に破砕した後、分子構造を崩すことのないよう熱処理を行って、一定の有効径を有する穴内に含有する結晶水を除去し、さらに２００メッシュ（１２５μｍ）以上の微粉末に加工するものが知られている（特開昭５１−１４１２７９号公報参照）。この従来例では、２００メッシュ以上の微粉末に加工した熱処理貝化石が、吸着、イオン交換等の物理的、化学的作用により家畜の体内にある有害物質を除去すること、貝化石自体に含有するカルシウム、アルミニウム、マグネシウム、珪素、カリウム、鉄、リンの元素を消化吸収すること、が開示されている。
【０００３】
また、北海道に産し、ホタテ貝やエビ、カニなどの甲殻類、昆布、ワカメなどの海藻類の死体が自然の堆積作用によって化石層を形成した貝化石を、破砕、選別、水洗、乾燥の工程を経て粉砕し、さらに可食部１００％、カルシウムなどの養分９０％以上にまで選別を繰り返して白色の粉末にしたものが知られている（特開昭５８−１６６４５号公報参照）。この従来例では、貝化石自体に含有する強力なカルシウムの吸着作用及び上記以外の銅、鉛、亜鉛の元素が含まれていることが開示されている。
【０００４】
また、本出願人による特開昭６３−１９６２３４号公報には、０．０１〜５０．００μｍに粉砕精製加工された貝化石があるが、この貝化石に実際に例示されている粒度分布は、５μｍ以下は４０〜５０重量％の範囲内である。そして、この貝化石には、カルシウム、アルミニウム、マグネシウム、珪素、カリウム、鉄、リン、マンガン、ナトリウム以外に、硫黄、ホウ素、塩素、銅、ヨウ素、コバルト、モリブデンの元素が含まれていることが開示されている。
【０００５】
【発明が解決しようとする課題】
上述の従来例は、いずれも粉末状の貝化石には、吸着作用があり、貝化石自体に含有する各成分が動物の体内に入った場合に、その吸着作用及び各成分により良い働きを成すと記載されている。しかしながら、具体的に貝化石のどの粒径のものがどれだけ含有すると、その吸着作用及び各成分により良い働きがどのようになるかは開示されていない。すなわち、貝化石は生体に吸収されやすい状態に加工されていなければならない。貝化石は炭酸カルシウムが主成分であるから、その溶解度は低くその粒径によっては、貝化石に含有するはずの微量元素が溶液中に全く含有しないこともあり、従って、動物の体内に入っても未吸収のまま体外に出てしまい何ら意味を成さないことになる。
【０００６】
特に必須ミネラルとして認定されているのは、鉄、ヨウ素、銅、亜鉛、コバルト、モリブデン、セレン、クロム、すず、バナジウム、フッ素、珪素、ニッケル、砒素の１５種類である。珪素、鉄以外は貝化石にわずかしか含まれていないものであり、この場合は、貝化石の中にバランス良く含有するとしても、現実に液体に接触して溶出しなければ、動物の体内に吸収されることもない。それにはかなりの微粉末とする必要がある。本出願人による上記従来例は、０．０１〜５０．００μｍ範囲内に粉砕精製加工されたているが、その粒度分布は、５μｍ以下が４０〜５０重量％の範囲内であるため、その１０重量％懸濁液の成分分析において、貝化石に含有しているはずの必須ミネラル１５種類中亜鉛、セレン、クロム、錫、バナジウム、フッ素、ニッケル、砒素の８種類も欠落している。この事実からも粒径により現実に生体に取り込まれる状態になっているかどうか、左右されることが分かる。従って、この従来例では粒径と必須ミネラルとの関係が明確にされないまま、単に貝化石の中にミネラルがバランス良く含有されているから良いとしてだけである。
【０００７】
また、吸着作用についても、その粒径により単位重量あたりの吸着量が大きく異なり、水中における有害物質を吸着するに際しても、その粒径によっては、すぐに海底やタンクの底に沈降してしまい、常に攪拌したり強い水流がないと、水中の有害物質を効率的に吸着することが困難となる。
【０００８】
このように、具体的に貝化石のどの粒径のものがどれだけ含有するかにより、貝化石が本来的に持っている特性が大きく異なったものになるから、単に、微粉末とした貝化石であれば良いという結論にはならない。従って、その使用目的に合わせて、どの粒径のものがどれだけ含有する貝化石を、使用しなければならないかを決める必要がある。不必要に貝化石の粒径を細かくしても、粉砕コストがかさむばかりで意味がないし、細かい粒径の貝化石が必要なところに、荒い粒径の貝化石を幾ら投入しても、必要とする効果を得ることが出来ず、意味がないこともあり得る。
【０００９】
そこで、本発明は、上記事情に鑑みてなされたもので、貝化石が本来的に持っている特性を必要に応じて最大限に発揮することが出来るように、その粒径とその粒径における特性との関連性を明確にすると共に、今までにない超微粉末にした場合の魚類の産卵を誘発するという、新たな特性を見出し、その利用を可能にした魚類の産卵誘発剤を提供することを課題とする。
【００１０】
【課題を解決するための手段】
本発明者は、長年貝化石の組成、性質について調査研究を続けてきた。その調査研究により得られた成果を基にして、その新たな利用方法を見つけ出し、その都度開示して来た。更に貝化石の新たな利用局面を探るべく研究を重ねて来た。その結果、本発明者は、貝化石を超微粉末にすると、今までにない新たな特性が現れることを見出した。すなわち、貝化石が吸収され易いかたちで含有している生体に必要な各種ミネラルを全て溶出できるようになること、しかも、超微粉末であるから水に散布した場合直ぐに沈降せず、長時間白濁状態で浮遊し、その結果、親魚がその中にあってミネラルが豊富で子が育ちやすい環境にあることを本能的に察知して、安心して産卵を開始したり、更に、植物プランクトンの核となりその発生、増殖の促進となり、動物プランクトンの場合には直接餌となり、必須ミネラルを充分摂取した健康なワムシ、コペポーダ類の増殖ができ、一方水中の硫化物、窒素化合物、その他の悪臭物質や有害物質を吸着しつつ、徐々に沈降して水の透明度を上昇させることを見出し、本発明に到達したのである。
【００１１】
すなわち、上記課題を解決するために、請求項１の発明は、石灰質や珪酸等からなる各種ネクトン、プランクトン、藻類、海藻等が埋没して堆積し、腐植溶性を帯びた結晶体となった貝化石を１５０°Ｃ〜３００°Ｃの範囲内で加熱処理して結晶水を除去し賦活化させて熱処理貝化石とし、かつ該熱処理貝化石が粒径５μｍ以下のものが少なくとも８０重量％以上含有している超微粉末貝化石からなることを特徴とする魚類の産卵誘発剤。
【００１２】
本発明に使用される貝化石は、考古学名では有孔虫化石、地質学名では石灰質砂岩であり、日本では富山県、石川県能登半島、岐阜県高山市、北海道、山口県、徳島県、福島県、鹿児島県に産するが、産地による限定はない。以下に順次説明する特性を有する貝化石であれば、いかなる産地の貝化石であっても良い。その主な産地における貝化石の分析値は、表１の通りである。この本発明の貝化石は、より具体的には、富山県の富山鉱山岩坪Ａ、Ｂ、Ｃ採掘場において採掘された試料について、昭和５４年８月７日、名古屋通商産業局より分析報告（５４名通産工業第５６４号）のあった下記定量分析表（表２）によるものと、富山県の国土高岡鉱山採掘場において採掘された試料について、昭和５２年１０月２０日、名古屋通商産業局より分析報告（５２名通産工業第１０７１号）のあった下記定量分析表（表３）によるものと、これら富山鉱山及び国土高岡鉱山から採掘された表２及び３に示す成分の貝化石の類似品と、である。
【００１３】
【表１】
0003811867.tif 000002
【００１４】
【表２】
0003811867.tif 000003
【００１５】
【表３】
0003811867.tif 000004
【００１６】
なお、上記富山県において採掘されている貝化石は、日本の他の地域で採掘される貝化石の成分構成と、分子集合形態が大きく異なり、特に珪素もある程度含有し、炭酸カルシウムの含有率も高く、珪素と炭酸カルシウムとの混合比率のバランスが良いことが特徴となっている。そして、この貝化石は、生体であったものが完全に化石化せず、そのままの状態で堆積し、長期にわたる圧密により出来たものであるから、生体に必要な微量元素、すなわち、必須ミネラルを高密度でバランス良く含むものである。その微量元素の測定結果を表４、５に示す。
【００１７】
【表４】
0003811867.tif 000005
【００１８】
【表５】
0003811867.tif 000006
【００１９】
なお、表４と表５との分析値が異なっているが、貝化石が異なっているのではなく、分析法の相違によるものと思われる。
【００２０】
また、この貝化石は、生体より分泌されたアラゴライト形の結晶構造をとり、一定の有効径を持ち結晶水を含む小孔が無数にあり、この結晶水を除去することで賦活化、すなわち、吸着性能を持つようになるものである。
【００２１】
鉱山から採掘された貝化石に吸着性能を付与させた、熱処理貝化石を得るには、貝化石を５ｍｍ以下に粉砕し、目開き５ｍｍのアミ目のふるいに通してドライヤーにて１５０°Ｃ〜３００°Ｃの範囲内で熱処理して結晶水を除去し賦活化して、目開き２ｍｍのアミ目のふるいに通してクーラーにて常温まで冷却して得る。その後、熱処理貝化石を公知の方法により、粒径が５μｍ以下のものが少なくとも８０重量％以上含有するように粉砕する。粒径が５μｍ以下の熱処理貝化石が少なくとも８０重量％以上含有している超微粉末貝化石でないと、本発明の魚類の産卵誘発剤としての特性を明確に出すことが困難となる。以下に、魚類の産卵誘発剤である上記した超微粉末貝化石の特性について述べる。
【００２２】
本発明の超微粉末貝化石の水質浄化面での特性は、以下のようなものがある。
・超微粉末であるから水面散布をした場合、直ぐに沈降せず白濁状態で浮遊する結果、水に含有する過剰物質、例えば、硫化水素、トリメチルアミン、メチルメルカプタン、アンモニア、亜硝酸、リン等を広範囲に取り込み、数時間から半日後にこれら過剰物質を吸着した超微粉末貝化石は底に沈降するが、その時水は澄んだ状態となっている。そして、一定の酸素供給の条件下で、底に沈んだ超微粉末貝化石の多孔質内に棲息するようになった微生物により、これら物質を水、炭酸ガス、窒素ガスなどに分解する。
・超微粉末であるから、微粒子間力、微粒子間の架橋水分による毛細管力、微粒子に帯電した静電気力等の付着力が生じ、この付着力により、水中の懸濁物質を捕捉して数時間から半日後にこれら懸濁物質を吸着した超微粉末貝化石は底に沈降するが、その時水は澄んだ状態となっている。
・超微粉末であるから、溶解し易く強酸性、強アルカリ性であっても、ｐＨ調整し、最終的に弱アルカリになる。
【００２３】
本発明の超微粉末貝化石の魚類の産卵誘発剤としての特性は、以下通りである。
・産卵期にある親魚は、通常陸上タンク内に移され飼育されている場合が多い。この陸上タンク内に超微粉末貝化石を水面散布すると、直ぐに沈降せず白濁状態で浮遊する結果、上記の水質浄化が行われつつ、親魚はその中にあって安心して産卵を開始することが確認されている。産卵誘発は、通常ホルモン注射や温度制御により行われるが、それでも産卵行動をなかなか取らない場合があり、そのような場合でも産卵を開始することが確認されている。
【００２４】
本発明の超微粉末貝化石の生物の成長促進剤としての特性は、以下通りである。
・生物が正常な発育と生命の維持活動をして行くために不可欠の元素、すなわち、必須ミネラルがある。現在認定されている必須ミネラルは、鉄（Ｆｅ）、ヨウ素（Ｉ）、銅（Ｃｕ）、マンガン（Ｍｇ）、亜鉛（Ｚｎ）、コバルト（Ｃｏ）、モリブデン（Ｍｏ）、セレン（Ｓｅ）、クロム（Ｃｒ）、すず（Ｓｎ）、バナジウム（Ｖ）、フッ素（Ｆ）、珪素（Ｓｉ）、ニッケル（Ｎｉ）、砒素（Ａｓ）である。超微粉末貝化石は上記必須ミネラルを全て含み、しかも超微粉末であるから、微量しか含まれていなくても溶解する機会が与えられ、水中及び陸上生物を問わず吸収することが出来る。逆に、貝化石の粒径が大きいと、含有していても微量であると溶解する機会が与えられず、結局溶解しないことになり、微量の必須ミネラルは、水中及び陸上生物の体内に取り込まれても栄養素として吸収されないことになる。
・超微粉末貝化石は、必須ミネラルをバランス良く充分含み、生物に消化吸収され易くなっているから、生物にこれを与えることで、細胞を活性化し健康体とし、生物を正常な発育、生命の維持活動をさせることが出来る。
・超微粉末貝化石は植物プランクトンの段階では、核となりその発生、増殖の促進となる。
・超微粉末貝化石は動物プランクトンの段階では、餌となり健全なワムシ、コペポーダ類の発生、増殖の促進となる。
・超微粉末貝化石中の必須ミネラルを充分に摂取した植物プランクトン、動物プランクトンを餌として仔魚に与えれば、必須ミネラルを充分に摂取した丈夫な仔魚となり、歩留りが飛躍的に上昇する。
・丈夫な仔魚を成魚とし、これを人が食すれば、人も健康体となる。
【００２５】
【発明の実施の形態】
以下、本発明の実施の態様について詳述する。
まず、上記構成になる超微粉末貝化石の種々の効果を確認するために調査及び試験を行ったので、その状況を説明する。まず、本発明の超微粉末貝化石の粒度分布を表６に示すと共に、比較例として粒径が５０μｍ以下の微粉末貝化石及び粒径が２０００μｍ以下の粉粒貝化石の粒度分布も表７及び表８に示す。
【００２６】
【表６】
0003811867.tif 000007
【００２７】
【表７】
0003811867.tif 000008
【００２８】
【表８】
0003811867.tif 000009
【００２９】
そして、超微粉末貝化石の水質浄化剤としての効果確認をおこなう。
実施例１
前述の表６に掲げる本発明の超微粉末貝化石１ｇを１ｌのメスシリンダーに入れ、更に水道水を入れ１ｌとし１分間攪拌した後、静置して沈降状態を単位時間毎に読み、沈降曲線を求める。
比較例１及び２
前述の表７の粒径が５０μｍ以下の微粉末貝化石及び表８の粒径が２０００μｍ以下の粉粒貝化石につき、実施例１と同様にして沈降曲線を求める。
その結果を表９に示す。
【００３０】
【表９】
0003811867.tif 000010
【００３１】
表９によれば、実施例１の本発明の超微粉末貝化石は、白濁状態が長く続き明確な界面が生じない。逆に言えば、本発明の超微粉末貝化石は、長時間水中にあって浮遊状態を継続し、水に含まれる各種の過剰物質と広範囲にわたって接触する結果、これら各種の過剰物質を取り込み、清浄化する。比較例１及び２は僅かに白濁するものの、その大半は直ぐに沈降してしまう。従って、常時攪拌を続けない限り、水に含まれる各種の過剰物質を広範囲にわたって取り込み、清浄化することは出来ない。
【００３２】
実施例２
本発明の超微粉末貝化石１．０ｇを１００ｍｌフラスコに入れた後、天然海水を８０ｍｌ入れ、更に適度に希釈したアンモニア溶液を５ｍｌ入れて天然海水を注ぎ足して１００ｍｌとする。１００ｍｌフラスコを密閉した後、マグネチックスターラーで５分間攪拌し、その後２５分間静置した。そして、フラスコ内空気中のアンモニアガス濃度はガス検知管（ガステック社製、アンモニアＮＨ３）を用い、１００ｍｌフラスコに超微粉末貝化石が入っていないものを対照として、そのアンモニア吸着量を求める。
比較例３及び４
粒径が５０μｍ以下の微粉末貝化石及び粒径が２０００μｍ以下の粉粒貝化石につき、実施例２と同様にしてアンモニア吸着量を求める。
その結果を表１０に示す。
【００３３】
【表１０】
0003811867.tif 000011
【００３４】
実施例３
実施例２の天然海水に代えてｐＨ６．０の淡水（Ｋｏｌｔｈｏｆｆの緩衝液）とし、その他は実施例２の同じ方法にてアンモニア吸着量を求める。
比較例５及び６
粒径が５０μｍ以下の微粉末貝化石及び粒径が２０００μｍ以下の粉粒貝化石につき、実施例３と同様にしてアンモニア吸着量を求める。
その結果を表１１に示す。
【００３５】
【表１１】
0003811867.tif 000012
【００３６】
実施例４
実施例２の天然海水に代えてｐＨ７．０の淡水（Ｋｏｌｔｈｏｆｆの緩衝液）とし、その他は実施例２の同じ方法にてアンモニア吸着量を求める。
比較例７及び８
粒径が５０μｍ以下の微粉末貝化石及び粒径が２０００μｍ以下の粉粒貝化石につき、実施例４と同様にしてアンモニア吸着量を求める。
その結果を表１２に示す。
【００３７】
【表１２】
0003811867.tif 000013
【００３８】
実施例５
実施例２の天然海水に代えてｐＨ８．０の淡水（Ｋｏｌｔｈｏｆｆの緩衝液）とし、その他は実施例２の同じ方法にてアンモニア吸着量を求める。
比較例９及び１０
粒径が５０μｍ以下の微粉末貝化石及び粒径が２０００μｍ以下の粉粒貝化石につき、実施例５と同様にしてアンモニア吸着量を求める。
その結果を表１３に示す。
【００３９】
【表１３】
0003811867.tif 000014
【００４０】
実施例６
実施例２の天然海水に代えてｐＨ９．０の淡水（Ｋｏｌｔｈｏｆｆの緩衝液）とし、その他は実施例２の同じ方法にてアンモニア吸着量を求める。
比較例１１及び１２
粒径が５０μｍ以下の微粉末貝化石及び粒径が２０００μｍ以下の粉粒貝化石につき、実施例６と同様にしてアンモニア吸着量を求める。
その結果を表１４に示す。
【００４１】
【表１４】
0003811867.tif 000015
【００４２】
表１０〜１４によれば、本発明の超微粉末貝化石はいずれの場合でも、比較例に比べてアンモニア吸着性能が大幅に優れていることが分かる。
【００４３】
実施例７
本発明の超微粉末貝化石１．０ｇを５０ｍｌフラスコに入れた後、天然海水を４０ｍｌ入れ、更にｐＨを６．６〜６．８に調整した硫化水素を含む天然海水を注ぎ足して５０ｍｌとする。５０ｍｌフラスコを密閉した後、マグネチックスターラーで３０分間攪拌し、その後２時間３０分間静置した。そして、この液を濾過して得た濾液に残存する硫化水素をメチレンブルー法で測定することにより、硫化水素吸着量を求める。
比較例１３及び１４
粒径が５０μｍ以下の微粉末貝化石及び粒径が２０００μｍ以下の粉粒貝化石につき、実施例７と同様にして硫化水素吸着量を求める。
その結果を表１５に示す。
【００４４】
【表１５】
0003811867.tif 000016
【００４５】
実施例８
実施例７の天然海水に代えてｐＨ６．０の淡水（Ｋｏｌｔｈｏｆｆの緩衝液）とし、その他は実施例７の同じ方法にて硫化水素吸着量を求める。
比較例１５及び１６
粒径が５０μｍ以下の微粉末貝化石及び粒径が２０００μｍ以下の粉粒貝化石につき、実施例８と同様にして硫化水素吸着量を求める。
その結果を表１６に示す。
【００４６】
【表１６】
0003811867.tif 000017
【００４７】
実施例９
実施例７の天然海水に代えてｐＨ７．０の淡水（Ｋｏｌｔｈｏｆｆの緩衝液）とし、その他は実施例７の同じ方法にて硫化水素吸着量を求める。
比較例１７及び１８
粒径が５０μｍ以下の微粉末貝化石及び粒径が２０００μｍ以下の粉粒貝化石につき、実施例９と同様にして硫化水素吸着量を求める。
その結果を表１７に示す。
【００４８】
【表１７】
0003811867.tif 000018
【００４９】
実施例１０
実施例７の天然海水に代えてｐＨ８．０の淡水（Ｋｏｌｔｈｏｆｆの緩衝液）とし、その他は実施例７の同じ方法にて硫化水素吸着量を求める。
比較例１９及び２０
粒径が５０μｍ以下の微粉末貝化石及び粒径が２０００μｍ以下の粉粒貝化石につき、実施例１０と同様にして硫化水素吸着量を求める。
その結果を表１８に示す。
【００５０】
【表１８】
0003811867.tif 000019
【００５１】
実施例１１
実施例７の天然海水に代えてｐＨ９．０の淡水（Ｋｏｌｔｈｏｆｆの緩衝液）とし、その他は実施例７の同じ方法にて硫化水素吸着量を求める。
比較例２１及び２２
粒径が５０μｍ以下の微粉末貝化石及び粒径が２０００μｍ以下の粉粒貝化石につき、実施例１１と同様にして硫化水素吸着量を求める。
その結果を表１９に示す。
【００５２】
【表１９】
0003811867.tif 000020
【００５３】
表１５〜１９によれば、本発明の超微粉末貝化石はいずれの場合でも、比較例に比べて硫化水素吸着性能が大幅に優れていることが分かる。
【００５４】
実施例１２
本発明の超微粉末貝化石１．０ｇを１００ｍｌフラスコに入れた後、天然海水を８０ｍｌ入れ、更に適度に希釈したトリメチルアミン５ｍｌ入れて天然海水を注ぎ足して１００ｍｌとする。１００ｍｌフラスコを密閉した後、マグネチックスターラーで５分間攪拌し、その後２５分間静置した。そして、フラスコ内空気中のトリメチルアミンガス濃度はガス検知管（ガステック社製、アミン類Ｒ・ＮＨ２）を用い、１００ｍｌフラスコに超微粉末貝化石が入っていないものを対照として、そのトリメチルアミン吸着量を求める。
比較例２３及び２４
粒径が５０μｍ以下の微粉末貝化石及び粒径が２０００μｍ以下の粉粒貝化石につき、実施例１２と同様にしてトリメチルアミン吸着量を求める。
その結果を表２０に示す。
【００５５】
【表２０】
0003811867.tif 000021
【００５６】
表２０によれば、本発明の超微粉末貝化石は、比較例に比べてトリメチルアミン吸着性能が大幅に優れていることが分かる。
【００５７】
実施例１３
本発明の超微粉末貝化石１．０ｇを１００ｍｌフラスコに入れた後、天然海水を８０ｍｌ入れ、更に適度に希釈したメチルメルカプタン５ｍｌ入れて天然海水を注ぎ足して１００ｍｌとする。１００ｍｌフラスコを密閉した後、マグネチックスターラーで５分間攪拌し、その後２５分間静置した。そして、フラスコ内空気中のメチルメルカプタンガス濃度はガス検知管（ガステック社製、全メチルメルカプタンＲ・ＳＨ）を用い、１００ｍｌフラスコに超微粉末貝化石が入っていないものを対照として、そのメチルメルカプタン吸着量を求める。
比較例２５及び２６
粒径が５０μｍ以下の微粉末貝化石及び粒径が２０００μｍ以下の粉粒貝化石につき、実施例１３と同様にしてメチルメルカプタン吸着量を求める。
その結果を表２１に示す。
【００５８】
【表２１】
0003811867.tif 000022
【００５９】
表２１によれば、本発明の超微粉末貝化石は、比較例に比べてメチルメルカプタン吸着性能が大幅に優れていることが分かる。
【００６０】
次に、超微粉末貝化石の魚類の産卵誘発剤としての効果の確認をおこなう。
実施例１４
前述の表６に掲げる本発明の超微粉末貝化石１ｇを２０ｌのポリタンクに入れ、更に水道水を入れ１０ｌとし１分間攪拌した後、静置して透視度を単位時間毎に読み、懸濁状態を求める。
比較例２７及び２８
粒径が５０μｍ以下の微粉末貝化石及び粒径が２０００μｍ以下の粉粒貝化石につき、実施例１４と同様にして懸濁状態を求める。
その結果を表２２に示す。
【００６１】
【表２２】
0003811867.tif 000023
【００６２】
実施例１５
前述の表６に掲げる本発明の超微粉末貝化石３００ｇを１０Ｔタンクに入れる。この１０Ｔタンクには産卵期にあるシマアジの親魚雄雌各５匹が入っており、水温は約２０°Ｃであり、超微粉末貝化石３００ｇを１０Ｔタンクに投入してからの産卵行為が始まるまでの時間を測定する。
比較例２９及び３０
粒径が５０μｍ以下の微粉末貝化石及び粒径が２０００μｍ以下の粉粒貝化石につき、実施例１５と同様にして産卵行為が始まるまでの時間を測定する。
その結果を表２３に示す。
【００６３】
【表２３】
0003811867.tif 000024
【００６４】
実施例１６
前述の表６に掲げる本発明の超微粉末貝化石３００ｇを１０Ｔタンクに入れる。この１０Ｔタンクには産卵期にあるカンパチの親魚雄雌各５匹が入っており、水温約２４°Ｃであり、超微粉末貝化石３００ｇを１０Ｔタンクに投入してからの産卵行為が始まるまでの時間を測定する。
比較例３１及び３２
粒径が５０μｍ以下の微粉末貝化石及び粒径が２０００μｍ以下の粉粒貝化石につき、実施例１６と同様にして産卵行為が始まるまでの時間を測定する。
その結果を表２４に示す。
【００６５】
【表２４】
0003811867.tif 000025
【００６６】
表２２によれば、本発明の超微粉末貝化石は、比較例に比べて直ぐに白濁状態となり長く続くから、産卵期の魚はミネラル豊富な所であり子が育ち易い環境にあることを察知し、産卵に都合の良い状態となったことを本能的に知り、産卵行為に入る。現に表２３、２４に明らかな通り、魚類の産卵誘発剤としての役目を充分担うことが確認された。なお、実験したのはシマアジとカンパチだけであるが、他の魚類、例えば、ブリ、マダイ、石ダイ、ギンザケ、マス、コイ、金魚などにも利用できることは容易に予測できる。
【００６７】
実施例１７
前述の表６に掲げる本発明の超微粉末貝化石１００ｇを２０ｌのポリタンクに入れ、更にこのポリタンクに淡水を１５ｌ入れ５分間ほど良く攪拌する。その後、１０分間静置して上澄液を１０ｌ取り、上澄液中に含有する元素を定性定量分析する。
比較例３３及び３４
粒径が５０μｍ以下の微粉末貝化石及び粒径が２０００μｍ以下の粉粒貝化石につき、実施例１７と同様にして上澄液中に含有する元素を定性定量分析する。
その結果を表２５に示す。
【００６８】
【表２５】
0003811867.tif 000026
【００６９】
表２５によれば、本発明の超微粉末貝化石は、比較例に比べて水中に溶けたり、浮遊状態となり易く、生物が自己の体内に取り入れ易くなっていることを示している。
【００７０】
以上、本発明の魚類の産卵誘発剤である上記した超微粉末貝化石の特性について、主に海水中あるいは淡水中について説明したが、これらの特性はそれ以外の生物にも適用出来ることは言うまでもない。
【００７１】
【発明の効果】
以上詳述したように、本発明の魚類の産卵誘発剤である超微粉末貝化石によれば、以下のような効果がある。
請求項１の発明は、貝化石が本来的に持っている特性を最大限に発揮することが出来るような粒径となっており、超微粉末貝化石を水面散布すると、直ぐに沈降せず白濁状態で浮遊する結果、海水中あるいは淡水中にある臭気成分、有害成分を効率良く吸着することは無論のこと、カルシウムを主体とするミネラル分が豊富かつバランス良く含まれ、しかもそのミネラル分が各種生体に吸収され易い状態で存在しているから、生物にとって細胞の活性化につながり成長促進となり、かつ海水中あるいは淡水中で懸濁状態で浮遊するから魚類にとり隠れ家的な存在となり、親魚はその中にあって産卵を開始して、ホルモン注射による産卵誘発が必要なくなると共に、植物・動物プランクトンの発生増殖を助けることになる。